【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出する可変表示手段に識別情報の表示結果として予め定められた特定表示結果が導出されたときに、遊技者にとって有利な特定遊技状態に制御する遊技機であって、
未だ開始されていない識別情報の可変表示について、保留情報として記憶可能な保留記憶手段と、
識別情報の表示結果を導出する以前に、識別情報の表示結果を前記特定表示結果とするか否かを決定する事前決定手段と、
前記事前決定手段の決定結果に基づいて、識別情報の可変表示を実行する可変表示実行手段と、
前記特定表示結果となるか否かを前記事前決定手段による決定前に判定する判定手段と、
前記判定手段による判定に基づいて、複数回の識別情報の可変表示に渡って、連続した予告演出を実行する予告演出実行手段と、
前記事前決定手段の決定結果に基づいて、識別情報の表示結果を示唆する示唆演出を実行する示唆演出実行手段と、
遊技機に異常が発生したことを検出する異常検出手段と、
遊技機に設けられる画像表示装置における表示の制御を行う処理と、遊技機に設けられるスピーカからの演出音の出力の制御を行う処理とを行う演出制御手段と、を備え、
前記予告演出実行手段は、複数回の識別情報の可変表示において、第１予告演出を実行するパターンと、当該第１予告演出よりも前記特定表示結果となる割合が高い第２予告演出を実行するパターンと、前記第１予告演出を実行した後に前記第２予告演出を実行するパターンと、のいずれかのパターンで前記予告演出を実行可能であるとともに、
前記示唆演出の演出態様は複数あり、
前記示唆演出実行手段により実行された前記示唆演出の演出態様に応じて、前記予告演出実行手段により前記第１予告演出を実行した後に前記第２予告演出を実行するパターンで前記予告演出が実行される割合が異なり、
前記演出制御手段は、
所定のフレーム更新周期毎に、前記画像表示装置に表示する表示データを生成するための画像生成処理を実行し、該画像生成処理にもとづいて生成された表示データを画像表示装置に出力するとともに、
前記異常検出手段により異常の発生が検出されたときに、該異常の発生を報知する報知音を前記スピーカから出力するための異常音出力処理を行う異常報知処理実行手段を含み、
前記異常報知処理実行手段は、前記フレーム更新周期に同期するように前記異常音出力処理を実行する
ことを特徴とする遊技機。
【請求項２】
各々を識別可能な複数種類の識別情報の可変表示を行い表示結果を導出する可変表示手段に識別情報の表示結果として予め定められた特定表示結果が導出されたときに、遊技者にとって有利な特定遊技状態に制御する遊技機であって、
未だ開始されていない識別情報の可変表示について、保留情報として記憶可能な保留記憶手段と、
識別情報の表示結果を導出する以前に、識別情報の表示結果を前記特定表示結果とするか否かを決定する事前決定手段と、
前記事前決定手段の決定結果に基づいて、識別情報の可変表示を実行する可変表示実行手段と、
前記特定表示結果となるか否かを前記事前決定手段による決定前に判定する判定手段と、
前記判定手段による判定に基づいて、複数回の識別情報の可変表示に渡って、連続した予告演出を実行する予告演出実行手段と、
前記事前決定手段の決定結果に基づいて、識別情報の表示結果を示唆する示唆演出を実行する示唆演出実行手段と、
遊技機に異常が発生したことを検出する異常検出手段と、
遊技機に設けられる画像表示装置における表示の制御を行う処理と、遊技機に設けられるスピーカからの演出音の出力の制御を行う処理とを行う演出制御手段と、を備え、
前記予告演出実行手段は、
複数回の識別情報の可変表示において、第１予告演出を実行するパターンと、当該第１予告演出よりも前記特定表示結果となる割合が高い第２予告演出を実行するパターンと、前記第１予告演出を実行した後に前記第２予告演出を実行するパターンと、のいずれかのパターンで前記予告演出を実行可能であるとともに、
前記第１予告演出を実行した後に前記第２予告演出を実行するパターンで前記予告演出を実行する場合、１の可変表示中の複数のタイミングにおいて前記第２予告演出を開始可能であって、前記第２予告演出を開始するタイミングに応じて有利度合いが異なるように、前記予告演出を実行し、
前記演出制御手段は、
所定のフレーム更新周期毎に、前記画像表示装置に表示する表示データを生成するための画像生成処理を実行し、該画像生成処理にもとづいて生成された表示データを画像表示装置に出力するとともに、
前記異常検出手段により異常の発生が検出されたときに、該異常の発生を報知する報知音を前記スピーカから出力するための異常音出力処理を行う異常報知処理実行手段を含み、
前記異常報知処理実行手段は、前記フレーム更新周期に同期するように前記異常音出力処理を実行する
ことを特徴とする遊技機。
【請求項３】
各々を識別可能な複数種類の識別情報の可変表示を行い表示結果を導出する可変表示手段に識別情報の表示結果として予め定められた特定表示結果が導出されたときに、遊技者にとって有利な特定遊技状態に制御する遊技機であって、
未だ開始されていない識別情報の可変表示について、保留情報として記憶可能な保留記憶手段と、
識別情報の表示結果を導出する以前に、識別情報の表示結果を前記特定表示結果とするか否かを決定する事前決定手段と、
前記事前決定手段の決定結果に基づいて、識別情報の可変表示を実行する可変表示実行手段と、
前記特定表示結果となるか否かを前記事前決定手段による決定前に判定する判定手段と、
前記判定手段による判定に基づいて、複数回の識別情報の可変表示に渡って、連続した予告演出を実行する予告演出実行手段と、
前記事前決定手段の決定結果に基づいて、識別情報の表示結果を示唆する示唆演出を実行する示唆演出実行手段と、
遊技機に異常が発生したことを検出する異常検出手段と、
遊技機に設けられる画像表示装置における表示の制御を行う処理と、遊技機に設けられるスピーカからの演出音の出力の制御を行う処理とを行う演出制御手段と、を備え、
前記予告演出実行手段は、複数回の識別情報の可変表示において、第１予告演出を実行するパターンと、当該第１予告演出よりも前記特定表示結果となる割合が高い第２予告演出を実行するパターンと、前記第１予告演出を実行した後に前記第２予告演出を実行するパターンと、のいずれかのパターンで前記予告演出を実行可能であるとともに、
前記第１予告演出の演出態様は複数あり、
前記予告演出実行手段は、前記第１予告演出の演出態様に応じて、前記第１予告演出を実行した後に前記第２予告演出を実行するパターンで前記予告演出が実行される割合が異なるように、前記予告演出を実行し、
前記演出制御手段は、
所定のフレーム更新周期毎に、前記画像表示装置に表示する表示データを生成するための画像生成処理を実行し、該画像生成処理にもとづいて生成された表示データを画像表示装置に出力するとともに、
前記異常検出手段により異常の発生が検出されたときに、該異常の発生を報知する報知音を前記スピーカから出力するための異常音出力処理を行う異常報知処理実行手段を含み、
前記異常報知処理実行手段は、前記フレーム更新周期に同期するように前記異常音出力処理を実行する
ことを特徴とする遊技機。
【手続補正２】
【補正対象書類名】明細書
【補正対象項目名】０００７
【補正方法】変更
【補正の内容】
【０００７】
上記目的を達成するため、本発明の遊技機は、
（１）各々を識別可能な複数種類の識別情報の可変表示を行い表示結果を導出する可変表示手段（例えば第１、第２特別図柄表示装置４Ａ、４Ｂや画像表示装置５など）に識別情報の表示結果として予め定められた特定表示結果（例えば大当り図柄となる確定特別図柄や大当り組合せとなる確定飾り図柄など）が導出されたときに、遊技者にとって有利な特定遊技状態（例えば大当り遊技状態など）に制御する遊技機（例えばパチンコ遊技機１など）であって、未だ開始されていない識別情報の可変表示について、保留情報として記憶可能な保留記憶手段（例えば第１、第２特図保留記憶部１５１Ａ、１５１Ｂなど）と、識別情報の表示結果を導出する以前に、識別情報の表示結果を前記特定表示結果とするか否かを決定する事前決定手段（例えばステップＳ２４０の処理を実行するＣＰＵ１０３など）と、前記事前決定手段の決定結果に基づいて、識別情報の可変表示を実行する可変表示実行手段（例えばステップＳ２４０の処理を実行した後、ステップＳ１１２、Ｓ１１３の処理を実行するＣＰＵ１０３など）と前記特定表示結果となるか否かを前記事前決定手段による決定前に判定する判定手段（例えばステップＳ２１２の入賞時乱数値判定処理を実行するＣＰＵ１０３など）と、前記判定手段による判定に基づいて、複数回の識別情報の可変表示に渡って、連続した予告演出を実行する予告演出実行手段（例えばステップＳ７１０の処理に基づきステップＳ６０３の処理を実行する演出制御用ＣＰＵ１２０など）と、前記事前決定手段の決定結果に基づいて、識別情報の表示結果を示唆する示唆演出（例えば変動中予告演出など）を実行する示唆演出実行手段（例えばステップＳ５２９の処理に基づきステップＳ１７２の処理を実行する演出制御用ＣＰＵ１２０など）と、遊技機に異常が発生したことを検出する異常検出手段と、遊技機に設けられる画像表示装置（例えば画像表示装置５など）における表示の制御を行う処理と、遊技機に設けられるスピーカ（例えばスピーカ８Ｌ、８Ｒなど）からの演出音の出力の制御を行う処理とを行う演出制御手段（例えば演出制御用ＣＰＵ１２０など）と、を備え、前記予告演出実行手段は、複数回の識別情報の可変表示において、第１予告演出を実行するパターン（例えば先読み予告パターンＳＹＰ１−１やＳＹＰ１−２など）と、当該第１予告演出よりも前記特定表示結果となる割合が高い第２予告演出を実行するパターン（例えば先読み予告パターンＳＹＰ２−１など）と、前記第１予告演出を実行した後に前記第２予告演出を実行するパターン（例えば先読み予告パターンＳＹＰ３−１など）と、のいずれかのパターンで前記予告演出を実行可能であるとともに、前記示唆演出の演出態様は複数（例えば「予告Ｘ」、「予告Ｙ」、「予告Ｚ」など）あり、前記示唆演出実行手段により実行された前記示唆演出の演出態様に応じて、前記予告演出実行手段により前記第１予告演出を実行した後に前記第２予告演出を実行するパターンで前記予告演出が実行される割合が異なり（例えば先読み予告パターンＳＹＰ３−１である場合には、「予告Ｙ」の変動中予告パターンにのみ決定可能である）、前記演出制御手段は、所定のフレーム更新周期毎に、前記画像表示装置に表示する表示データを生成するための画像生成処理を実行し、該画像生成処理にもとづいて生成された表示データを画像表示装置に出力するとともに、前記異常検出手段により異常の発生が検出されたときに、該異常の発生を報知する報知音を前記スピーカから出力するための異常音出力処理を行う異常報知処理実行手段（例えば演出制御用ＣＰＵ１２０がスピーカ８Ｌ、８Ｒから異常報知音を出力するための異常報知処理を行うことなど）を含み、前記異常報知処理実行手段は、前記フレーム更新周期に同期するように前記異常音出力処理を実行することを特徴とする。
このような構成によれば、第１予告演出が開始された場合でも、示唆演出の演出態様によって第２予告演出に移行することへの期待感を抱かせることができ、遊技の興趣が向上する。
【手続補正３】
【補正対象書類名】明細書
【補正対象項目名】０００８
【補正方法】変更
【補正の内容】
【０００８】
上記目的を達成するため、本発明の他の遊技機は、
（２）各々を識別可能な複数種類の識別情報の可変表示を行い表示結果を導出する可変表示手段（例えば第１、第２特別図柄表示装置４Ａ、４Ｂや画像表示装置５など）に識別情報の表示結果として予め定められた特定表示結果（例えば大当り図柄となる確定特別図柄や大当り組合せとなる確定飾り図柄など）が導出されたときに、遊技者にとって有利な特定遊技状態（例えば大当り遊技状態など）に制御する遊技機（例えばパチンコ遊技機１など）であって、未だ開始されていない識別情報の可変表示について、保留情報として記憶可能な保留記憶手段（例えば第１、第２特図保留記憶部１５１Ａ、１５１Ｂなど）と、識別情報の表示結果を導出する以前に、識別情報の表示結果を前記特定表示結果とするか否かを決定する事前決定手段（例えばステップＳ２４０の処理を実行するＣＰＵ１０３など）と、前記事前決定手段の決定結果に基づいて、識別情報の可変表示を実行する可変表示実行手段（例えばステップＳ２４０の処理を実行した後、ステップＳ１１２、Ｓ１１３の処理を実行するＣＰＵ１０３など）と前記特定表示結果となるか否かを前記事前決定手段による決定前に判定する判定手段（例えばステップＳ２１２の入賞時乱数値判定処理を実行するＣＰＵ１０３など）と、前記判定手段による判定に基づいて、複数回の識別情報の可変表示に渡って、連続した予告演出を実行する予告演出実行手段（例えばステップＳ７１０の処理に基づきステップＳ６０３の処理を実行する演出制御用ＣＰＵ１２０など）と、前記事前決定手段の決定結果に基づいて、識別情報の表示結果を示唆する示唆演出（例えば変動中予告演出など）を実行する示唆演出実行手段（例えばステップＳ５２９の処理に基づきステップＳ１７２の処理を実行する演出制御用ＣＰＵ１２０など）と、遊技機に異常が発生したことを検出する異常検出手段と、遊技機に設けられる画像表示装置（例えば画像表示装置５など）における表示の制御を行う処理と、遊技機に設けられるスピーカ（例えばスピーカ８Ｌ、８Ｒなど）からの演出音の出力の制御を行う処理とを行う演出制御手段（例えば演出制御用ＣＰＵ１２０など）と、を備え、前記予告演出実行手段は、複数回の識別情報の可変表示において、第１予告演出を実行するパターン（例えば先読み予告パターンＳＹＰ１−１やＳＹＰ１−２など）と、当該第１予告演出よりも前記特定表示結果となる割合が高い第２予告演出を実行するパターン（例えば先読み予告パターンＳＹＰ２−１など）と、前記第１予告演出を実行した後に前記第２予告演出を実行するパターン（例えば先読み予告パターンＳＹＰ３−１など）と、のいずれかのパターンで前記予告演出を実行可能であるとともに、前記第１予告演出を実行した後に前記第２予告演出を実行するパターンで前記予告演出を実行する場合、１の可変表示中の複数のタイミング（例えば、変動開始時または変動終了時など）において前記第２予告演出を開始可能であって、前記第２予告演出を開始するタイミングに応じて有利度合いが異なるように、前記予告演出を実行し（例えばステップＳ７５２の処理において変動カテゴリに応じて変化タイミングを決定する演出制御用ＣＰＵ１２０など）、前記演出制御手段は、所定のフレーム更新周期毎に、前記画像表示装置に表示する表示データを生成するための画像生成処理を実行し、該画像生成処理にもとづいて生成された表示データを画像表示装置に出力するとともに、前記異常検出手段により異常の発生が検出されたときに、該異常の発生を報知する報知音を前記スピーカから出力するための異常音出力処理を行う異常報知処理実行手段（例えば演出制御用ＣＰＵ１２０がスピーカ８Ｌ、８Ｒから異常報知音を出力するための異常報知処理を行うことなど）を含み、前記異常報知処理実行手段は、前記フレーム更新周期に同期するように前記異常音出力処理を実行することを特徴とする。
このような構成によれば、第１予告演出が開始された場合でも、その演出態様によって第２予告演出に移行することへの期待感を抱かせることができるとともに、第２予告演出の開始タイミングに注目させることができ、遊技の興趣が向上する。
【手続補正４】
【補正対象書類名】明細書
【補正対象項目名】０００９
【補正方法】変更
【補正の内容】
【０００９】
（３）各々を識別可能な複数種類の識別情報の可変表示を行い表示結果を導出する可変表示手段（例えば第１、第２特別図柄表示装置４Ａ、４Ｂや画像表示装置５など）に識別情報の表示結果として予め定められた特定表示結果（例えば大当り図柄となる確定特別図柄や大当り組合せとなる確定飾り図柄など）が導出されたときに、遊技者にとって有利な特定遊技状態（例えば大当り遊技状態など）に制御する遊技機（例えばパチンコ遊技機１など）であって、未だ開始されていない識別情報の可変表示について、保留情報として記憶可能な保留記憶手段（例えば第１、第２特図保留記憶部１５１Ａ、１５１Ｂなど）と、識別情報の表示結果を導出する以前に、識別情報の表示結果を前記特定表示結果とするか否かを決定する事前決定手段（例えばステップＳ２４０の処理を実行するＣＰＵ１０３など）と、前記事前決定手段の決定結果に基づいて、識別情報の可変表示を実行する可変表示実行手段（例えばステップＳ２４０の処理を実行した後、ステップＳ１１２、Ｓ１１３の処理を実行するＣＰＵ１０３など）と前記特定表示結果となるか否かを前記事前決定手段による決定前に判定する判定手段（例えばステップＳ２１２の入賞時乱数値判定処理を実行するＣＰＵ１０３など）と、前記判定手段による判定に基づいて、複数回の識別情報の可変表示に渡って、連続した予告演出を実行する予告演出実行手段（例えばステップＳ７１０の処理に基づきステップＳ６０３の処理を実行する演出制御用ＣＰＵ１２０など）と、前記事前決定手段の決定結果に基づいて、識別情報の表示結果を示唆する示唆演出（例えば変動中予告演出など）を実行する示唆演出実行手段（例えばステップＳ５２９の処理に基づきステップＳ１７２の処理を実行する演出制御用ＣＰＵ１２０など）と、遊技機に異常が発生したことを検出する異常検出手段と、遊技機に設けられる画像表示装置（例えば画像表示装置５など）における表示の制御を行う処理と、遊技機に設けられるスピーカ（例えばスピーカ８Ｌ、８Ｒなど）からの演出音の出力の制御を行う処理とを行う演出制御手段（例えば演出制御用ＣＰＵ１２０など）と、を備え、前記予告演出実行手段は、複数回の識別情報の可変表示において、第１予告演出を実行するパターン（例えば先読み予告パターンＳＹＰ１−１やＳＹＰ１−２など）と、当該第１予告演出よりも前記特定表示結果となる割合が高い第２予告演出を実行するパターン（例えば先読み予告パターンＳＹＰ２−１など）と、前記第１予告演出を実行した後に前記第２予告演出を実行するパターン（例えば先読み予告パターンＳＹＰ３−１など）と、のいずれかのパターンで前記予告演出を実行可能であるとともに、前記第１予告演出の演出態様は複数あり、前記予告演出実行手段は、前記第１予告演出の演出態様に応じて、前記第１予告演出を実行した後に前記第２予告演出を実行するパターンで前記予告演出が実行される割合が異なる（例えば、チャンス目Ａが停止する停止図柄予告が実行された場合には、背景変化予告が実行される場合があるが、チャンス目Ｂが停止する停止図柄予告が実行された場合には、背景変化予告が実行されない）ように、前記予告演出を実行し、前記演出制御手段は、所定のフレーム更新周期毎に、前記画像表示装置に表示する表示データを生成するための画像生成処理を実行し、該画像生成処理にもとづいて生成された表示データを画像表示装置に出力するとともに、前記異常検出手段により異常の発生が検出されたときに、該異常の発生を報知する報知音を前記スピーカから出力するための異常音出力処理を行う異常報知処理実行手段（例えば演出制御用ＣＰＵ１２０がスピーカ８Ｌ、８Ｒから異常報知音を出力するための異常報知処理を行うことなど）を含み、前記異常報知処理実行手段は、前記フレーム更新周期に同期するように前記異常音出力処理を実行することを特徴とする。
このような構成によれば、第１予告演出が開始された場合でも、その演出態様によって第２予告演出に移行することへの期待感を抱かせることができ、遊技の興趣が向上する。